(57)【要約】【課題】監視対象となるペットにストレスを与えることなく、ペットの動きを検出して、その動きが変化したときに、その旨を使用者に直接通知することができるようにする。【解決手段】監視装置においては、カメラによる撮像画像からペットの動き（運動量）を検出し（S300、S310）、その検出されたペットの動き（運動量）が設定時間以上しきい値以下であれば、外部の通信端末にその旨を通知し（S330、S340）、その後ペットが動き出したときにも、外部の通信端末にその旨を通知する（S330、S340）。また監視装置は、ペットの鳴き声及び室内温度についても監視し、ペットの鳴き声が大きい場合や、室内温度が許容範囲から外れた場合にも、その旨を、外部の通信端末に通知する（S390〜S440）。【選択図】図５
2013242841.tif 000002
【特許請求の範囲】
【請求項１】
監視対象領域の動画を撮像する撮像手段と、
前記撮像手段により撮像された動画に基づき、前記監視対象領域内にいる動物の運動状態を検出する運動状態検出手段と、
前記運動状態検出手段にて検出された前記動物の運動状態から、前記動物が所定期間以上停止しているか否かを判断する停止判定手段と、
前記停止判定手段による判定結果が変化すると、当該判定結果を、予め通知先として設定されている外部装置に通知する通知手段と、
を備えたことを特徴とする動物の監視装置。
【請求項２】
前記監視対象領域内にいる動物の鳴き声を検出する鳴き声検出手段と、
前記鳴き声検出手段にて検出された動物の鳴き声が所定のしきい値レベルを超えたか否かを判断する鳴き声判定手段と、
を備え、
前記通知手段は、前記鳴き声判定手段にて動物の鳴き声が所定のしきい値レベルを超えたと判断されると、当該鳴き声の判定結果を前記外部装置に通知することを特徴とする請求項１に記載の動物の監視装置。
【請求項３】
前記監視対象領域の温度を検出する温度検出手段と、
前記温度検出手段にて検出された温度が許容範囲内にあるか否かを判定する温度判定手段と、
を備え、
前記通知手段は、前記温度判定手段にて前記温度が許容範囲内にないと判断されると、当該温度の判定結果を前記外部装置に通知することを特徴とする請求項１又は請求項２に記載の動物の監視装置。
【発明の詳細な説明】
【技術分野】
【０００１】
本発明は、監視対象となる動物（ペット）の状態を監視し、監視結果を外部装置に送信する動物の監視装置に関する。
【背景技術】
【０００２】
従来、ペット類の監視装置として、ペット用ゲージに収容されたペットを映すマイク内蔵のカメラと、ゲージの振動を計測する振動センサと、を備え、振動センサにて検出される振動、若しくは、カメラのマイクにて検出されるペットの鳴き声がしきい値以上であるときに、カメラによる撮像画像をサーバに送信するように構成されたものが知られている（例えば、特許文献１参照）。
【先行技術文献】
【特許文献】
【０００３】
【特許文献１】特開２００１−２７５５０９号公報
【発明の概要】
【発明が解決しようとする課題】
【０００４】
上記従来の監視装置によれば、ペットに何らかの変化が起こったときに、撮像画像をサーバに送信するため、サーバ側で撮像画像を保存しておくことで、ペットの飼い主は、いつでもペットの状態を確認することができる。
【０００５】
しかしながら、上記従来の監視装置では、ペットの動きを、ゲージの振動を計測する振動センサにて検出することから、遠隔監視のためには、ペットをゲージに入れておく必要がある。
【０００６】
このため、上記従来の監視装置では、ペットの状態を遠隔監視するために、ペットの動きを制限してしまい、ペットに負担（延いてはストレス）を与えるという問題があった。
また、この問題を防止するために、ペットに動き検出用のセンサを装着して、そのセンサから監視装置本体に、無線で監視結果を送信するようにすることも考えられるが、このようにしても、小型犬や猫などの小動物にとっては、センサが邪魔になり、ストレスの原因となってしまう。
【０００７】
また、上記従来の監視装置によれば、ペットに何らかの変化が起こったときに、カメラによる撮像画像をサーバに送信することから、その撮像画像をサーバに保存することはできるが、ペットの飼い主など、監視装置の使用者に対し、ペットの変化を直接通知することができないという問題もある。
【０００８】
本発明は、こうした問題に鑑みなされたものであり、監視対象となるペットにストレスを与えることなく、ペットの動きを検出して、その動きが変化したときに、その旨を使用者に直接通知することができるようにすること、を目的とする。
【課題を解決するための手段】
【０００９】
かかる目的を達成するためになされた請求項１に記載の動物の監視装置は、
監視対象領域の動画を撮像する撮像手段と、
前記撮像手段により撮像された動画に基づき、前記監視対象領域内にいる動物の運動状態を検出する運動状態検出手段と、
前記運動状態検出手段にて検出された前記動物の運動状態から、前記動物が所定期間以上停止しているか否かを判断する停止判定手段と、
前記停止判定手段による判定結果が変化すると、当該判定結果を、予め通知先として設定されている外部装置に通知する通知手段と、
を備えたことを特徴とする。
【００１０】
また、請求項２に記載の発明は、請求項１に記載の動物の監視装置において、
前記監視対象領域内にいる動物の鳴き声を検出する鳴き声検出手段と、
前記鳴き声検出手段にて検出された動物の鳴き声が所定のしきい値レベルを超えたか否かを判断する鳴き声判定手段と、
を備え、
前記通知手段は、前記鳴き声判定手段にて動物の鳴き声が所定のしきい値レベルを超えたと判断されると、当該鳴き声の判定結果を前記外部装置に通知することを特徴とする。
【００１１】
また、請求項３に記載の発明は、請求項１又は請求項２に記載の動物の監視装置において、
前記監視対象領域の温度を検出する温度検出手段と、
前記温度検出手段にて検出された温度が許容範囲内にあるか否かを判定する温度判定手段と、
を備え、
前記通知手段は、前記温度判定手段にて前記温度が許容範囲内にないと判断されると、当該温度の判定結果を前記外部装置に通知することを特徴とする。
【発明の効果】
【００１２】
請求項１に記載の動物の監視装置においては、撮像手段が、監視対象領域の動画を撮像し、運動状態検出手段が、撮像手段により撮像された動画に基づき、監視対象領域内にいる動物の運動状態（換言すれば動き）を検出する。
【００１３】
そして、停止判定手段が、運動状態検出手段にて検出された動物の運動状態から、動物が所定期間以上停止しているか否かを判断し、停止判定手段による判定結果が変化すると、通知手段が、その判定結果を、予め通知先として設定されている外部装置に通知する。
【００１４】
つまり、通知手段は、停止判定手段にて、動物が所定時間以上停止していると判定されたとき、及び、動物が停止状態から動き始めたと判定されたときに、動物の状態が変化したものとして、その旨を外部装置に通知するのである。
【００１５】
そして、このように、本発明の監視装置においては、撮像手段により撮像された動画に基づき、動物の動きを検出することから、動物にストレスを与えることなく、動物の動きを検出することができる。
【００１６】
また、通知手段は、動物が座るか眠って、所定期間以上停止したとき、或いは、動物が動き出したときに、その旨を外部装置に通知するものであるため、上述した従来装置のように、その通知の際に撮像手段により撮像された動画（撮像画像）を送信する必要はない。
【００１７】
このため、本発明の監視装置によれば、動物の動きを通知するためのデータ量を少なくして、その通知を短時間で行うことができる。
また、この通知を受信する外部装置側では、画像データを処理する必要がないので、使用者は、外部装置として、画像データを処理する機能のない情報処理端末を利用することができる。
【００１８】
よって、本発明の監視装置によれば、外部装置として利用可能な情報処理端末の種類を拡大することができる。
次に、請求項２に記載の動物の監視装置には、動物の鳴き声を検出する鳴き声検出手段と、鳴き声検出手段にて検出された動物の鳴き声が所定のしきい値レベルを超えたか否かを判断する鳴き声判定手段とが備えられている。
【００１９】
そして、通知手段は、鳴き声判定手段にて動物の鳴き声が所定のしきい値レベルを超えたと判断された際にも、その鳴き声の判定結果を外部装置に通知する。
従って、本発明の監視装置によれば、例えば、監視対象領域に不審者が侵入して、動物が大きな音で鳴いているときにも、その旨を、外部装置に通知することができる。よって、使用者は、その通知を受けて、監視対象領域に向かうなど、適正な対応をとることができる。
【００２０】
また次に、請求項３に記載の監視装置には、監視対象領域の温度を検出する温度検出手段と、温度検出手段にて検出された温度が許容範囲内にあるか否かを判定する温度判定手段とが備えられている。
【００２１】
そして、通知手段は、温度判定手段にて温度が許容範囲内にないと判断された際にも、その温度の判定結果を外部装置に通知する。
従って、本発明の監視装置によれば、例えば、空調装置が故障して動物のいる部屋の温度が異常に上昇（或いは低下）したような場合に、その旨を、外部装置に通知することができる。よって、使用者は、その通知を受けて、監視対象領域に向かうなど、適正な対応をとることができる。
【図面の簡単な説明】
【００２２】
【図１】実施形態の監視装置の外観を表す正面図である。
【図２】監視装置の回路構成を表すブロック図である。
【図３】監視装置の撮像画像送信時の動作を表す説明図である。
【図４】制御部にて実行される動体検知処理及び拡大表示処理を表すフローチャートである。
【図５】制御部にて実行される状態変化通知処理を表すフローチャートである。
【発明を実施するための形態】
【００２３】
以下に本発明の実施形態を図面と共に説明する。
本実施形態の監視装置１０は、住宅等、建造物内の所望の部屋に設置されて、その部屋の住人が外出しているときに、その部屋で飼われているペット（犬、猫等の動物）を監視するのに用いられるものである。
【００２４】
図１に示すように、監視装置１０には、棚や机の上に設置可能に形成された筐体内に、図２に示す各種構成部品を収納することにより構成されており、筐体の前面には、焦電型赤外線センサ１２、撮像手段としてのＣＭＯＳカメラ１４、照度センサ１６、表示部１８、及び、マイク１９が設けられている。
【００２５】
また、図２に示すように、監視装置１０には、上記各部に加えて、無線ＬＡＮの親機に接続するための無線通信部（所謂、子機）２０、通信線を介して建造物内に設置されたＬＡＮに接続するための有線通信部２２、無線ＬＡＮ接続用のスイッチや監視装置初期化用のスイッチ等からなる操作部２４、周囲温度を検出するための温度センサ２５、メモリカード装着用のカードスロット２６、監視装置１０内の各部に電源供給を行う電源部２８、及び、制御部３０を備える。
【００２６】
なお、電源部２８は、充放電可能な電池を内蔵しており、外部のＡＣアダプタから電源供給を受けて電池を充電するためのＤＣジャック２９を備える。
次に、制御部３０は、ＣＰＵ、ＲＯＭ、ＲＡＭ等からなるマイクロコンピュータ（マイコン）にて構成されており、上記各部が接続されている。
【００２７】
そして、制御部３０は、無線通信部２０若しくは有線通信部２２を介して外部の通信端末から入力される各種指令に従い動作し、例えば、ＣＭＯＳカメラ（以下、単にカメラという）１４による撮像画像が要求されると、撮像画像を表示用の動画データに変換して、撮像画像を要求してきた通信端末に送信する。
【００２８】
また、制御部３０は、撮像画像を外部の通信端末に送信していないときには、ペットの動き、鳴き声、及び、室内温度を周期的に検出する。
そして、ペットの動きに変化があったときや、ペットの鳴き声が異常に大きくなったとき、或いは、室内温度が許容範囲から外れたときには、監視対象領域にて状態変化があったと判断して、無線通信部２０若しくは有線通信部２２を介して、予め情報の通知先として登録されている外部の通信端末に、その旨（状態変化）を電子メールにて通知する。
【００２９】
なお、外部の通信端末としては、無線通信部２０や有線通信部２２を介して接続されるＬＡＮ（ローカルエリアネットワーク）に直接接続されたパソコン等の情報処理端末、ＬＡＮがルータやＩＳＰ（インターネットサービスプロバイダ）等を介して接続されるインターネット上の情報処理端末、インターネットに携帯電話回線等の無線通信網を介して接続される携帯電話やスマートホン等の携帯端末、等を挙げることができる。
【００３０】
以下、制御部３０による撮像画像の送信動作及び状態変化の通知動作について説明する。
制御部３０は、メインルーチンの一つとして、図４に示す動体検知処理を繰り返し実行することで、カメラ１４により撮像された撮像画像の中から動体を検知し、これをペットとして認識する。
【００３１】
つまり、図４に示すように、動体検知処理では、Ｓ１００（Ｓはステップを表す）にて、カメラ１４から撮像画像を読み込み、Ｓ１１０にて、その撮像画像上で、動体の周囲に生じるモーションベクトルから、移動中の動体３２（換言すればペット）を検知する（図３（ａ）参照）。
【００３２】
そして、続くＳ１２０では、撮像画像内で、Ｓ１１０にて検知した動体３２の周囲を囲むように、動体周囲枠３４（図３（ａ）参照）を生成し、動体検知処理を一旦終了する。
なお、Ｓ１２０にて生成される動体周囲枠３４は、撮像画像内での動体３２の位置及び大きさを表すデータとなる。
【００３３】
また、制御部３０は、外部の通信端末から撮像画像が要求されているときには、カメラ１４による撮像画像を、送信用の動画データに圧縮して送信する。
そして、この画像送信時には、制御部３０は、図４に示す拡大表示処理を実行することで、動体３２であるペットが停止した際に、その動体３２部分を拡大した動画データを生成して、外部の通信端末に送信する。
【００３４】
すなわち、図４に示す拡大表示処理では、まず、Ｓ２００にて、動体検知処理にて生成された最新の動体周囲枠３４を読み込み、続く２１０にて、その動体周囲枠３４の変化から、動体３２が停止したか否かを判断することにより、動体３２が停止するのを待つ。
【００３５】
そして、Ｓ２１０にて、動体３２が停止したと判断されると、Ｓ２２０に移行して、動体検知処理で過去に検出された動体周囲枠サイズのｎフレーム分（最新の動体周囲枠３４を含む動体周囲枠ｎ個分のサイズ、ｎ：複数値）を読み込み、その平均サイズ（詳しくは平均動体周囲枠サイズ）を算出する。
【００３６】
また、続くＳ２２０では、Ｓ２００で読み込んだ最新の動体周囲枠３４の周囲に、表示維持枠３６を設定する。
図３（ｂ）に示すように、表示維持枠３６は、動体周囲枠３４の所定値倍に設定されるものであり、その倍率は、表示維持枠３６が、動体３２を拡大表示したときの表示画面の外枠（以下、拡大表示枠という）３８よりも小さくなるように設定されている。
【００３７】
次に、Ｓ２４０では、平均動体周囲枠サイズ（縦・横）が、拡大表示枠３８の縦・横、１／２の大きさとなるよう、撮像画像をリサイズし、Ｓ２５０にて、そのリサイズした画像における動体３２の中心が、表示画面中心となるよう、撮像画像中の表示領域（つまり、拡大表示枠３８）を設定する。
【００３８】
そして、Ｓ２６０では、その設定した拡大表示枠３８内の画像データを、外部の通信端末での動体３２の拡大表示用の画像データとして出力することで、拡大表示を開始する。
なお、Ｓ２６０の処理後は、カメラ１４からの撮像画像の内、Ｓ２５０にて設定された拡大表示枠３８内の画像データ（つまり拡大画像）が、監視画像として外部の通信端末に継続的に出力される。
【００３９】
このため、外部の通信端末側では、図３（ｃ）に示すように、動体３２であるペットにズームインした拡大画像（動画）を表示することができる。
次に、Ｓ２６０による監視画像の拡大画像への切り換えは、Ｓ２１０にて動体３２が停止したと判定されてから、所定時間（例えば、１秒間）経過した後に実施され、所定時間が経過する間に動体３２が動いた場合には、Ｓ２００に移行する。
【００４０】
また、Ｓ２６０にて、拡大表示を開始した後は、Ｓ２７０に移行し、動体検知処理にて生成された動体周囲枠３４を読み込む。そして、続くＳ２８０では、その読み込んだ動体周囲枠３４が、Ｓ２３０にて設定した表示維持枠３６の外に出たか否かを判断する。
【００４１】
Ｓ２８０にて、動体周囲枠３４は表示維持枠３６の外に出ていないと判断されると、再度Ｓ２７０に移行し、Ｓ２８０にて、動体周囲枠３４は表示維持枠３６の外に出たと判断されると、動体３２が大きく移動したと判断して、Ｓ２９０に移行し、拡大表示を終了する。
【００４２】
なお、拡大表示の終了は、外部の通信端末へ送信する監視画像を、拡大画像から、カメラ１４による撮像画像に切り換えることにより行われ、外部の通信端末側では、表示画面が、ペットからズームアウトした通常の監視画像に戻ることになる。
【００４３】
次に、制御部３０は、上述した拡大表示処理を含む撮像画像の送信処理を実行していないときには、図５に示す状態変化通知処理を実行する。
この状態変化通知処理は、ペットの動き、鳴き声、及び、室内温度を、所定周期で繰り返し計測し、その計測結果に何らかの変化があった場合に、その旨を外部の通信端末に通知するための処理であり、一定時間毎の割込処理として実行される。
【００４４】
図５に示すように、状態変化通知処理が開始されると、Ｓ３００にて、動体検知処理にて生成された最新の動体周囲枠の中心座標を取得し、Ｓ３１０にて、その中心座標の前回値からの変化量を、ペットの運動量として算出する。
【００４５】
次に、Ｓ３２０では、制御部３０の起動時にリセット状態に初期設定される停止フラグが、セットされているか否かを判断する。
そして、停止フラグがセットされていなければ（つまりリセット状態であれば）、Ｓ３３０に移行して、Ｓ３１０にて過去所定時間（数分）内に検出された運動量を読み込み、その読み込んだ運動量の全てが、予め設定された停止判定用しきい値以下であるか否かを判断することにより、動体３２であるペットが動きを停止したか否かを判断する。
【００４６】
つまり、Ｓ３３０では、Ｓ３１０にて過去所定時間内に検出された運動量が全てしきい値以下であるとき、ペットが座るか或いは眠りに入って、動きを停止したと判断し、Ｓ３１０にて過去所定期間内に検出された運動量の少なくとも一つがしきい値よりも大きいときには、ペットは動いていると判断するのである。
【００４７】
そして、Ｓ３３０にて、ペットが動きを停止したと判断されると、Ｓ３４０に移行し、無線通信部２０若しくは有線通信部２２を介して、予め情報の通知先として登録されている外部の通信端末に、ペットが動かなくなったことを電子メールにて通知する。また、続くＳ３５０では、停止フラグをセットし、Ｓ３９０に移行する。
【００４８】
一方、Ｓ３２０にて、停止フラグはセットされていると判断された場合、つまり、Ｓ３５０の処理にてペットが停止していることを外部の通信端末に通知してから、ペットの停止状態が続いている場合には、Ｓ３６０に移行する。
【００４９】
そして、Ｓ３６０では、Ｓ３１０にて検出されたペットの運動量が、上述した停止判定用しきい値を越えたか否かを判断することにより、ペットが動いたか否かを判断し、ペットが動いていなければ、Ｓ３９０に移行する。
【００５０】
また、Ｓ３６０にて、ペットが動いたと判断されると、Ｓ３７０に移行し、無線通信部２０若しくは有線通信部２２を介して、予め情報の通知先として登録されている外部の通信端末に、ペットが動いたことを電子メールにて通知する。そして、続くＳ３８０では、停止フラグをリセットし、Ｓ３９０に移行する。
【００５１】
次に、Ｓ３９０では、マイク１９を介して入力される音声信号の信号レベル（換言すれば音量）を計測し、Ｓ４００にて、その計測された音量が所定のしきい値を越えているか否かを判断することで、ペットが大きな音で鳴いたか否かを判断する。
【００５２】
そして、Ｓ４００にて、ペットが鳴いたと判断されると、Ｓ４１０に移行し、無線通信部２０若しくは有線通信部２２を介して、予め情報の通知先として登録されている外部の通信端末に、ペットが鳴いていることを電子メールにて通知し、Ｓ４２０に移行する。また、Ｓ４００にて、ペットが鳴いたと判断されない場合には、そのままＳ４２０に移行する。
【００５３】
次に、Ｓ４２０では、温度センサ２５を介して室内温度を計測し、Ｓ４３０にて、その計測された室内温度は、予め設定された許容範囲内にあるか否かを判断する。なお、許容範囲は、ペットを飼育する上で必要な温度の上下限値にて設定されている。
【００５４】
そして、Ｓ４３０にて、室内温度は許容範囲内にあると判断された場合には、当該状態変化通知処理を一旦終了する。
また、Ｓ４３０にて、室内温度は許容範囲内にないと判断された場合には、Ｓ４４０に移行し、無線通信部２０若しくは有線通信部２２を介して、予め情報の通知先として登録されている外部の通信端末に、室内温度が異常である旨を電子メールにて通知した後、当該状態変化通知処理を一旦終了する。
【００５５】
以上説明したように、本実施形態の監視装置１０においては、外部の通信端末からの要求に従いカメラ１４による撮像画像を送信していないときには、その撮像画像から、ペットの動き（運動量）を検出する。
【００５６】
そして、その検出されたペットの動き（運動量）が予め設定された設定時間以上しきい値以下であれば、ペットが設定時間以上停止していると判断して、外部の通信端末にその旨を電子メールにて通知する。
【００５７】
また、外部の通信端末にペットの動きが止まったことを通知した後、ペットが動き出すと、外部の通信端末にその旨を電子メールにて通知する。
従って、本実施形態の監視装置１０によれば、外部の通信端末、延いてはこの通信端末を所持する使用者に対し、ペットの動きの変化を逐次通知することができ、使用者は、この通知によって、ペットの状態を検知することができる。
【００５８】
そして、本実施形態では、ペットの動きを、カメラ１４による撮像画像に基づき検出することから、従来装置のようにペットを測定用のゲージに入れたり、或いは、ペットにセンサを装着したりすることなく、ペットの動きを検出することができる。
【００５９】
よって、本実施形態の監視装置１０によれば、ペットの動きを検出するために、ペットの動きを制限して、ペットにストレスを与えるのを防止できる。
また、本実施形態の監視装置１０においては、ペットの動きを監視するだけでなく、ペットの鳴き声及び室内温度についても監視し、ペットの鳴き声が大きい場合や、室内温度が許容範囲から外れた場合にも、その旨を、電子メールにて外部の通信端末に通知する。
【００６０】
従って、この通知によって、使用者は、ペットが置かれた室内の環境変化を検知し、その検知結果に対応する適切な処置を行うことができる。
また特に、本実施形態の監視装置１０は、外部の通信端末からの要求に従い、カメラ１４による撮像画像を送信することもできることから、使用者は、監視装置１０から何らかの通知を受けた際には、撮像画像を表示可能な通信端末を利用して、カメラ１４による撮像画像を取得し、現在のペットの状態或いは室内の状態を確認することができる。
【００６１】
また、本実施形態の監視装置１０は、ペットの状態変化等を、電子メールにて外部の通信端末に送信することから、撮像画像を送信するようにした場合に比べて、その通知の際に送信するデータ量を少なくすることができ、通知を短時間で行うことができる。
【００６２】
よって、本実施形態の監視装置１０によれば、使用者が、外出先で、ペットや室内の状態を確認する際に、極めて使い勝手の良い監視装置となる。
なお、本実施形態において、マイコンからなる制御部３０は、本発明の運動状態検出手段、停止判定手段、通知手段、鳴き声検出手段、鳴き声判定手段、温度検出手段、及び、温度判定手段に相当する。
【００６３】
そして、特に、制御部３０において実行される制御処理の内、図４に示した動体検知処理及び図５のＳ３００及びＳ３１０にて実行される処理は、本発明の運動状態検出手段として機能する。また、図５の状態変化通知処理にて実行される処理の内、Ｓ３３０及びＳ３６０の処理は、本発明の停止判定手段として機能し、Ｓ３４０及びＳ３７０の処理は、本発明の通知手段として機能する。
【００６４】
また、Ｓ３９０にて実行される処理及びこの処理で用いられるマイク１９は、本発明の鳴き声検出手段として機能し、Ｓ４００にて実行される処理は、本発明の鳴き声判定手段として機能し、Ｓ４１０にて実行される処理は、本発明の通知手段として機能する。
【００６５】
また、Ｓ４２０にて実行される処理及びこの処理で用いられる温度センサ２５は、本発明の温度検出手段として機能し、Ｓ４３０にて実行される処理は、本発明の温度判定手段として機能し、Ｓ４４０にて実行される処理は、本発明の通知手段として機能する。
【００６６】
以上、本発明の一実施形態について説明したが、本発明は上記実施形態に限定されるものではなく、本発明の要旨を逸脱しない範囲内にて、種々の態様をとることができる。
例えば、上記実施形態では、ペットの動きが変化したとき、ペットの鳴き声が異常であるとき、及び、室内温度が許容範囲外であるときに、その旨を、外部の通信端末に通知するものとして説明した。
【００６７】
しかし、ペットの鳴き声の異常や室内温度の異常は必ずしも通知する必要はなく、カメラ１４による撮像画像を処理して得られるペットの動きを通知するようにすれば、本発明の所期の目的は達成できる。
【００６８】
また、外部の通信端末（換言すれば使用者）には、ペットの鳴き声の異常や室内温度の異常とは別に、他の物理量から判定し得る異常を通知するようにしてもよい。なお、他の物理量から判定し得る異常としては、例えば、振動センサやジャイロによる検出結果から判定し得る地震の発生を挙げることができる。
【符号の説明】
【００６９】
１０…監視装置、１２…焦電型赤外線センサ、１４…カメラ（ＣＭＯＳカメラ）、１６…照度センサ、１８…表示部、１９…マイク、２０…無線通信部、２２…有線通信部、２４…操作部、２５…温度センサ、２６…カードスロット、２８…電源部、２９…ＤＣジャック、３０…制御部（マイコン）、３２…動体、３４…動体周囲枠、３６…表示維持枠，３８…拡大表示枠。
【図１】
2013242841.tif 000003
【図２】
2013242841.tif 000004
【図３】
2013242841.tif 000005
【図４】
2013242841.tif 000006
【図５】
2013242841.tif 000007